(57)【要約】【課題】デジタル放送受信機が受信レベルの低下により現在視聴中のデジタル放送局をこれ以上視聴できなくなった時に、視聴していたデジタル放送局と同じ系列のデジタル放送局、または視聴していた番組と同じ番組を放送している別のデジタル放送局を選局することを目的とする。【解決手段】受信可能なデジタル放送局が放送する番組情報を取得し、受信レベルの低下前に視聴していたデジタル放送局の番組情報と比較し、同じ系列の放送局、または同じ番組を放送している場合に、そのデジタル放送局を選局する。【選択図】　図１
2004140690.tif 000002
【特許請求の範囲】
【請求項１】
番組素材を提供する番組素材配信部、提供する番組の情報を配信する番組情報配信部を有するデジタル放送親局と、映像・音声をＭＰＥＧ２等のデジタルデータに変換する映像・音声エンコード部、放送局や番組の情報を生成する番組情報生成部、前記映像・音声エンコード部からのデジタルデータと前記番組情報生成部からの番組情報を合成する合成部、前期合成部の出力を放送波に変調して送信する送信処理部を有する複数のデジタル放送局と、デジタル放送を受信可能なデジタルチューナー部、前記チューナー部の出力を復調してトランスポートストリームを出力する復調部、前記復調部のトランスポートストリームから必要なパケットを選択するトランスポートデコード部、前記トランスポートデコード部で選択されたＭＰＥＧ２等の映像・音声デジタルデータをデコードする映像・音声デコード部、デコードした映像を出力する画面表示部、デコードした音声を出力する音声出力部、必要な情報を記録するメモリ部、前記デジタルチューナー部、前記復調部、前記トランスポートデコード部、前記映像・音声デコード部、前記メモリ部の制御を行う制御部を有するデジタル放送受信機から成る、デジタル放送システムにおいて、前記デジタル放送局が前記デジタル放送親局から配信された系列局情報を前記番組情報の一部として送出し、前記デジタル放送受信機が受信レベルの低下により現在視聴中のデジタル放送局をこれ以上視聴できなくなった時に、複数のデジタル放送局から受信した前記所属系列局情報を元に、視聴していたデジタル放送局と同じ系列局に属する別のデジタル放送局を選局することを特徴とする、デジタル放送システム。
【請求項２】
前記デジタル放送局が前記デジタル放送親局から配信された現在放送中の番組タイトルを前記番組情報の一部として送出し、前記デジタル放送受信機が受信レベルの低下により現在視聴中のデジタル放送局をこれ以上視聴できなくなった時に、複数のデジタル放送局から受信した前記現在放送中の番組タイトルを元に、視聴していたデジタル放送局と同じタイトルの番組を放送している別のデジタル放送局を選局することを特徴とする請求項１記載のデジタル放送システム。
【請求項３】
前記デジタル放送局が前記デジタル放送親局から配信された現在放送中の番組ジャンルを前記番組情報の一部として送出し、前記デジタル放送受信機が受信レベルの低下により現在視聴中のデジタル放送局をこれ以上視聴できなくなった時に、複数のデジタル放送局から受信した前記現在放送中の番組ジャンルを元に、視聴していたデジタル放送局と同じジャンルの番組を放送している別のデジタル放送局を選局することを特徴とする請求項１記載のデジタル放送システム。
【請求項４】
前記デジタル放送局が前記デジタル放送親局から配信された番組識別番号を前記番組情報の一部として送出し、前記デジタル放送受信機が受信レベルの低下により現在視聴中のデジタル放送局をこれ以上視聴できなくなった時に、複数のデジタル放送局から受信した前記現在放送中の番組識別番号を元に、視聴していたデジタル放送局と同じ番組識別番号の番組を放送している別のデジタル放送局を選局することを特徴とする請求項１記載のデジタル放送システム。
【請求項５】
前記デジタル放送局が前記デジタル放送親局から配信された同じ番組を放送する放送局のリストを元に同じ番組を放送している他のデジタル放送局の情報を前記番組情報の一部として送出し、前記デジタル放送受信機が受信レベルの低下により現在視聴中のデジタル放送局をこれ以上視聴できなくなった時に、前記同じ番組を放送している他のデジタル放送局の情報を元に、それらのデジタル放送局の中からもっとも受信レベルの高いデジタル放送局を選局することを特徴とする請求項１記載のデジタル放送システム。
【発明の詳細な説明】
【０００１】
【発明の属する技術分野】
本発明は、移動体等に搭載するデジタル放送受信機を用いるデジタル放送システムに関する。
【０００２】
【従来の技術】
従来、移動体等に搭載するアナログ放送受信機については、系列局コードを含むデータを予め保存した記憶手段を用いる方式が知られている（例えば、特許文献１参照。）。
【０００３】
図２は、従来のデジタル放送システムの構成図である。図２において、１００は系列Ａのデジタル放送親局、１０１は番組素材配信部、２００は系列Ａに属するデジタル放送局▲１▼、２０１は映像・音声エンコード部、２０２は番組情報生成部、２０３は合成部、２０４は送信処理部、３００は系列Ａに属するデジタル放送局▲２▼、３０１は映像・音声エンコード部、３０２は番組情報生成部、３０３は合成部、３０４は送信処理部、４００は系列Ｂに属するデジタル放送局▲３▼、４０１は映像・音声エンコード部、４０２は番組情報生成部、４０３は合成部、４０４は送信処理部、５００はデジタル放送受信機、５０１はデジタルチューナー部、５０２は復調部、５０３はトランスポートデコード部、５０４は映像・音声デコード部、５０５は画面表示部、５０６は音声出力部、５０７は制御部、５０８はメモリ部である。
【０００４】
以上のように構成された従来のデジタル放送システムについて、以下にその動作を説明する。系列Ａのデジタル放送親局１００は製作した番組素材を、番組素材配信部１０１から様々な媒体を使って同じ系列Ａに属するデジタル放送局▲１▼２００、デジタル放送局▲２▼３００へと配信する。デジタル放送局▲１▼２００は、配信された番組素材を映像・音声エンコーダ２０１にてデジタルデータへエンコードし、番組情報生成部２０２で生成される放送局や番組の情報とともに、合成部２０３でトランスポートストリームに合成する。トランスポートストリームは送信処理部２０４で変調、アップリンクされ、放送電波として送出する。デジタル放送局▲２▼３００、デジタル放送局▲３▼も同様に放送電波を送出する。デジタル放送受信機５００は、複数のデジタル放送局の送出する放送電波の中から、デジタルチューナー部５０１でひとつの放送局を選局し、復調部５０２で復調、エラー訂正を行い、トランスポートストリームを出力する。トランスポートストリームはトランスポートデコード部５０３でパケットＩＤ別に映像、音声、番組情報など各々のデータにフィルタリングされる。映像や音声のデータは映像・音声デコーダ部５０４でデコードされ、映像は画面表示部５０５が表示し、音声は音声出力部５０６が出力する。番組情報などその他のデータは制御部５０７がトランスポートデコード部５０３から読取り、必要な番組情報はメモリ部５０８に記憶する。また、移動可能なデジタル放送受信機の場合、現在視聴中のデジタル放送局▲１▼２００から遠く離れることで受信レベルが低下し、デジタル放送受信機５００では復調部５０２、トランスポートデコード部５０３、映像・音声デコード部５０４からのエラー情報により、制御部５０７が現在視聴中のデジタル放送局▲１▼２００をこれ以上視聴できないと判断した時、制御部５０７はデジタルチューナー部５０１を制御して周波数帯域をスキャンして別の受信可能な別のデジタル放送局を検索し、受信可能かどうかの判断だけで別のデジタル放送局を選局する。
【０００５】
【特許文献１】
特開平８−２３７５７０号公報
【０００６】
【発明が解決しようとする課題】
このため、上記従来のデジタル放送システムにおいては、受信レベルが低下する前に視聴していたデジタル放送局の番組と、別のデジタル放送局が現在放送中の番組を関連付ける情報が送出されていない、または、送出されていてもデジタル放送受信機がその情報を利用していなかったため、受信レベルが低下する前に視聴していた番組を継続して視聴したい場合でも、新たに受信可能となったデジタル放送局の中から視聴者自身が番組を選択しなければならないという課題を有していた。
【０００７】
【課題を解決するための手段】
上記問題を解決するために本発明は、番組素材を配信する手段と、同じ系列のデジタル放送局が共通して放送する番組情報を配信する手段をデジタル放送親局が有し、配信された番組素材をエンコードする手段と、配信された番組情報とデジタル放送局独自の番組情報を生成する手段と、それらを合成する手段と、送信処理手段をデジタル放送局が有し、デジタルチューナーと、復調手段と、トランスポートデコード手段と、映像・音声デコード手段と、画面表示手段と、音声出力手段と、デジタル放送局が放送する番組情報を選局の際に利用する制御手段と、デジタル放送局が放送する番組情報を記憶する記憶手段をデジタル放送受信機が有することを特徴とする。
【０００８】
以上により、受信レベルが低下する前に視聴していたデジタル放送局の番組と、別のデジタル放送局が現在放送中の番組を関連付けることができ、受信レベルが低下する前に視聴していた放送局と同じ系列のデジタル放送局、または視聴していた番組と同じ番組を自動的に継続して視聴することが実現できる。
【０００９】
【発明の実施の形態】
本発明は、番組素材を配信する手段と、同じ系列のデジタル放送局が共通して放送する番組情報を配信する手段をデジタル放送親局が有し、配信された番組素材をエンコードする手段と、配信された番組情報とデジタル放送局独自の番組情報を生成する手段と、それらを合成する手段と、送信処理手段をデジタル放送局が有し、デジタルチューナーと、復調手段と、トランスポートデコード手段と、映像・音声デコード手段と、画面表示手段と、音声出力手段と、デジタル放送局が放送する番組情報を選局の際に利用する制御手段と、デジタル放送局が放送する番組情報を記憶する記憶手段をデジタル放送受信機が有し、デジタル放送受信機が受信レベルの低下により現在視聴中のデジタル放送局をこれ以上視聴できなくなった時に、複数のデジタル放送局から受信した番組情報を元に、視聴していたデジタル放送局と同じ系列のデジタル放送局、または視聴していた番組と同じ番組を放送している別のデジタル放送局を選局できる作用を有する。
【００１０】
以下、本発明の実施の形態について、図１を用いて説明する。
【００１１】
（実施の形態１）
図１は、本発明の実施の形態１におけるデジタル放送システムのブロック図である。図１において、１００は系列Ａのデジタル放送親局、１０１は番組素材配信部、１０１は番組情報配信部、２００は系列Ａに属するデジタル放送局▲１▼、２０１は映像・音声エンコード部、２０２は番組情報生成部、２０３は合成部、２０４は送信処理部、３００は系列Ａに属するデジタル放送局▲２▼、３０１は映像・音声エンコード部、３０２は番組情報生成部、３０３は合成部、３０４は送信処理部、４００は系列Ｂに属するデジタル放送局▲３▼、４０１は映像・音声エンコード部、４０２は番組情報生成部、４０３は合成部、４０４は送信処理部、５００はデジタル放送受信機、５０１はデジタルチューナー部、５０２は復調部、５０３はトランスポートデコード部、５０４は映像・音声デコード部、５０５は画面表示部、５０６は音声出力部、５０７は制御部、５０８はメモリ部である。
【００１２】
以上のように構成されたデジタル放送システムについて、以下にその動作を説明する。系列Ａのデジタル放送親局１００は製作した番組素材を、番組素材配信部１０１から様々な媒体を使って同じ系列Ａに属するデジタル放送局▲１▼２００、デジタル放送局▲２▼３００へと配信する。同時に系列Ａのデジタル放送親局１００は所属する系列局を指定するための系列局情報を、番組情報の一部として番組情報配信部１０２から様々な媒体を使って同じ系列Ａに属するデジタル放送局▲１▼２００、デジタル放送局▲２▼３００へと配信する。デジタル放送局▲１▼２００は、配信された番組素材を映像・音声エンコーダ２０１にてデジタルデータへエンコードし、配信された系列局情報を含む番組情報と独自に作成する番組情報を番組情報生成部２０２で生成し、合成部２０３でトランスポートストリームに合成する。トランスポートストリームは送信処理部２０４で変調、アップリンクされ、放送電波として送出する。デジタル放送局▲２▼３００、デジタル放送局▲３▼も同様に放送電波を送出する。デジタル放送受信機５００は、複数のデジタル放送局の送出する放送電波の中から、デジタルチューナー部５０１でひとつの放送局を選局し、復調部５０２で復調、エラー訂正を行い、トランスポートストリームを出力する。トランスポートストリームはトランスポートデコード部５０３でパケットＩＤ別に映像、音声、番組情報など各々のデータにフィルタリングされる。映像や音声のデータは映像・音声デコーダ部５０４でデコードされ、映像は画面表示部５０５が表示し、音声は音声出力部５０６が出力する。番組情報などその他のデータは制御部５０７がトランスポートデコード部５０３から読取り、必要な番組情報はメモリ部５０８に記憶する。また、移動可能なデジタル放送受信機の場合、現在視聴中のデジタル放送局▲１▼２００から遠く離れることで受信レベルが低下し、デジタル放送受信機５００では復調部５０２、トランスポートデコード部５０３、映像・音声デコード部５０４からのエラー情報により、制御部５０７が現在視聴中のデジタル放送局▲１▼２００をこれ以上視聴できないと判断した時、制御部５０７はデジタルチューナー部５０１を制御して周波数帯域をスキャンして別の受信可能な別のデジタル放送局を検索し、受信可能なデジタル放送局があればそのデジタル放送局が放送する番組情報の中からそのデジタル放送局が属する系列局情報を取得し、受信レベルの低下前に視聴していたデジタル放送局と同じ系列局であれば、そのデジタル放送局を選局する。
【００１３】
以上のように本発明の実施の形態によれば、デジタル放送受信機が受信レベルの低下により現在視聴中のデジタル放送局をこれ以上視聴できなくなった時に、視聴していたデジタル放送局と同じ系列局の別のデジタル放送局を選局できる。
【００１４】
（実施の形態２）
図１は、本発明の実施の形態２におけるデジタル放送システムのブロック図である。図１において、１００は系列Ａのデジタル放送親局、１０１は番組素材配信部、１０１は番組情報配信部、２００は系列Ａに属するデジタル放送局▲１▼、２０１は映像・音声エンコード部、２０２は番組情報生成部、２０３は合成部、２０４は送信処理部、３００は系列Ａに属するデジタル放送局▲２▼、３０１は映像・音声エンコード部、３０２は番組情報生成部、３０３は合成部、３０４は送信処理部、４００は系列Ｂに属するデジタル放送局▲３▼、４０１は映像・音声エンコード部、４０２は番組情報生成部、４０３は合成部、４０４は送信処理部、５００はデジタル放送受信機、５０１はデジタルチューナー部、５０２は復調部、５０３はトランスポートデコード部、５０４は映像・音声デコード部、５０５は画面表示部、５０６は音声出力部、５０７は制御部、５０８はメモリ部である。
【００１５】
以上のように構成されたデジタル放送システムについて、以下にその動作を説明する。系列Ａのデジタル放送親局１００は製作した番組素材を、番組素材配信部１０１から様々な媒体を使って同じ系列Ａに属するデジタル放送局▲１▼２００、デジタル放送局▲２▼３００へと配信する。同時に系列Ａのデジタル放送親局１００は配信した番組素材に付加する番組タイトルを、番組情報の一部として番組情報配信部１０２から様々な媒体を使って同じ系列Ａに属するデジタル放送局▲１▼２００、デジタル放送局▲２▼３００へと配信する。デジタル放送局▲１▼２００は、配信された番組素材を映像・音声エンコーダ２０１にてデジタルデータへエンコードし、配信された番組タイトルを含む番組情報と独自に作成する番組情報を番組情報生成部２０２で生成し、合成部２０３でトランスポートストリームに合成する。トランスポートストリームは送信処理部２０４で変調、アップリンクされ、放送電波として送出する。デジタル放送局▲２▼３００、デジタル放送局▲３▼も同様に放送電波を送出する。デジタル放送受信機５００は、複数のデジタル放送局の送出する放送電波の中から、デジタルチューナー部５０１でひとつの放送局を選局し、復調部５０２で復調、エラー訂正を行い、トランスポートストリームを出力する。トランスポートストリームはトランスポートデコード部５０３でパケットＩＤ別に映像、音声、番組情報など各々のデータにフィルタリングされる。映像や音声のデータは映像・音声デコーダ部５０４でデコードされ、映像は画面表示部５０５が表示し、音声は音声出力部５０６が出力する。番組情報などその他のデータは制御部５０７がトランスポートデコード部５０３から読取り、必要な番組情報はメモリ部５０８に記憶する。また、移動可能なデジタル放送受信機の場合、現在視聴中のデジタル放送局▲１▼２００から遠く離れることで受信レベルが低下し、デジタル放送受信機５００では復調部５０２、トランスポートデコード部５０３、映像・音声デコード部５０４からのエラー情報により、制御部５０７が現在視聴中のデジタル放送局▲１▼２００をこれ以上視聴できないと判断した時、制御部５０７はデジタルチューナー部５０１を制御して周波数帯域をスキャンして別の受信可能な別のデジタル放送局を検索し、受信可能なデジタル放送局があればそのデジタル放送局が放送する番組情報の中からそのデジタル放送局が現在放送中の番組タイトルを取得し、受信レベルの低下前に視聴していたデジタル放送局の番組タイトルと同じであれば、そのデジタル放送局を選局する。
【００１６】
以上のように本発明の実施の形態によれば、デジタル放送受信機が受信レベルの低下により現在視聴中のデジタル放送局をこれ以上視聴できなくなった時に、視聴していた番組と同じ番組タイトルの番組を放送している別のデジタル放送局を選局できる。
【００１７】
（実施の形態３）
図１は、本発明の実施の形態３におけるデジタル放送システムのブロック図である。図１において、１００は系列Ａのデジタル放送親局、１０１は番組素材配信部、１０１は番組情報配信部、２００は系列Ａに属するデジタル放送局▲１▼、２０１は映像・音声エンコード部、２０２は番組情報生成部、２０３は合成部、２０４は送信処理部、３００は系列Ａに属するデジタル放送局▲２▼、３０１は映像・音声エンコード部、３０２は番組情報生成部、３０３は合成部、３０４は送信処理部、４００は系列Ｂに属するデジタル放送局▲３▼、４０１は映像・音声エンコード部、４０２は番組情報生成部、４０３は合成部、４０４は送信処理部、５００はデジタル放送受信機、５０１はデジタルチューナー部、５０２は復調部、５０３はトランスポートデコード部、５０４は映像・音声デコード部、５０５は画面表示部、５０６は音声出力部、５０７は制御部、５０８はメモリ部である。
【００１８】
以上のように構成されたデジタル放送システムについて、以下にその動作を説明する。系列Ａのデジタル放送親局１００は製作した番組素材を、番組素材配信部１０１から様々な媒体を使って同じ系列Ａに属するデジタル放送局▲１▼２００、デジタル放送局▲２▼３００へと配信する。同時に系列Ａのデジタル放送親局１００は配信した番組素材が属する番組ジャンルを、番組情報の一部として番組情報配信部１０２から様々な媒体を使って同じ系列Ａに属するデジタル放送局▲１▼２００、デジタル放送局▲２▼３００へと配信する。デジタル放送局▲１▼２００は、配信された番組素材を映像・音声エンコーダ２０１にてデジタルデータへエンコードし、配信された番組ジャンルを含む番組情報と独自に作成する番組情報を番組情報生成部２０２で生成し、合成部２０３でトランスポートストリームに合成する。トランスポートストリームは送信処理部２０４で変調、アップリンクされ、放送電波として送出する。デジタル放送局▲２▼３００、デジタル放送局▲３▼も同様に放送電波を送出する。デジタル放送受信機５００は、複数のデジタル放送局の送出する放送電波の中から、デジタルチューナー部５０１でひとつの放送局を選局し、復調部５０２で復調、エラー訂正を行い、トランスポートストリームを出力する。トランスポートストリームはトランスポートデコード部５０３でパケットＩＤ別に映像、音声、番組情報など各々のデータにフィルタリングされる。映像や音声のデータは映像・音声デコーダ部５０４でデコードされ、映像は画面表示部５０５が表示し、音声は音声出力部５０６が出力する。番組情報などその他のデータは制御部５０７がトランスポートデコード部５０３から読取り、必要な番組情報はメモリ部５０８に記憶する。また、移動可能なデジタル放送受信機の場合、現在視聴中のデジタル放送局▲１▼２００から遠く離れることで受信レベルが低下し、デジタル放送受信機５００では復調部５０２、トランスポートデコード部５０３、映像・音声デコード部５０４からのエラー情報により、制御部５０７が現在視聴中のデジタル放送局▲１▼２００をこれ以上視聴できないと判断した時、制御部５０７はデジタルチューナー部５０１を制御して周波数帯域をスキャンして別の受信可能な別のデジタル放送局を検索し、受信可能なデジタル放送局があればそのデジタル放送局が放送する番組情報の中からそのデジタル放送局が現在放送中の番組の番組ジャンルを取得し、受信レベルの低下前に視聴していたデジタル放送局の番組の番組ジャンルと同じであれば、そのデジタル放送局を選局する。
【００１９】
以上のように本発明の実施の形態によれば、デジタル放送受信機が受信レベルの低下により現在視聴中のデジタル放送局をこれ以上視聴できなくなった時に、視聴していた番組と同じ番組ジャンルの番組を放送している別のデジタル放送局を選局できる。
【００２０】
（実施の形態４）
図１は、本発明の実施の形態４におけるデジタル放送システムのブロック図である。図１において、１００は系列Ａのデジタル放送親局、１０１は番組素材配信部、１０１は番組情報配信部、２００は系列Ａに属するデジタル放送局▲１▼、２０１は映像・音声エンコード部、２０２は番組情報生成部、２０３は合成部、２０４は送信処理部、３００は系列Ａに属するデジタル放送局▲２▼、３０１は映像・音声エンコード部、３０２は番組情報生成部、３０３は合成部、３０４は送信処理部、４００は系列Ｂに属するデジタル放送局▲３▼、４０１は映像・音声エンコード部、４０２は番組情報生成部、４０３は合成部、４０４は送信処理部、５００はデジタル放送受信機、５０１はデジタルチューナー部、５０２は復調部、５０３はトランスポートデコード部、５０４は映像・音声デコード部、５０５は画面表示部、５０６は音声出力部、５０７は制御部、５０８はメモリ部である。
【００２１】
以上のように構成されたデジタル放送システムについて、以下にその動作を説明する。系列Ａのデジタル放送親局１００は製作した番組素材を、番組素材配信部１０１から様々な媒体を使って同じ系列Ａに属するデジタル放送局▲１▼２００、デジタル放送局▲２▼３００へと配信する。同時に系列Ａのデジタル放送親局１００は配信した番組素材の番組識別番号を、番組情報の一部として番組情報配信部１０２から様々な媒体を使って同じ系列Ａに属するデジタル放送局▲１▼２００、デジタル放送局▲２▼３００へと配信する。デジタル放送局▲１▼２００は、配信された番組素材を映像・音声エンコーダ２０１にてデジタルデータへエンコードし、配信された番組識別番号を含む番組情報と独自に作成する番組情報を番組情報生成部２０２で生成し、合成部２０３でトランスポートストリームに合成する。トランスポートストリームは送信処理部２０４で変調、アップリンクされ、放送電波として送出する。デジタル放送局▲２▼３００、デジタル放送局▲３▼も同様に放送電波を送出する。デジタル放送受信機５００は、複数のデジタル放送局の送出する放送電波の中から、デジタルチューナー部５０１でひとつの放送局を選局し、復調部５０２で復調、エラー訂正を行い、トランスポートストリームを出力する。トランスポートストリームはトランスポートデコード部５０３でパケットＩＤ別に映像、音声、番組情報など各々のデータにフィルタリングされる。映像や音声のデータは映像・音声デコーダ部５０４でデコードされ、映像は画面表示部５０５が表示し、音声は音声出力部５０６が出力する。番組情報などその他のデータは制御部５０７がトランスポートデコード部５０３から読取り、必要な番組情報はメモリ部５０８に記憶する。また、移動可能なデジタル放送受信機の場合、現在視聴中のデジタル放送局▲１▼２００から遠く離れることで受信レベルが低下し、デジタル放送受信機５００では復調部５０２、トランスポートデコード部５０３、映像・音声デコード部５０４からのエラー情報により、制御部５０７が現在視聴中のデジタル放送局▲１▼２００をこれ以上視聴できないと判断した時、制御部５０７はデジタルチューナー部５０１を制御して周波数帯域をスキャンして別の受信可能な別のデジタル放送局を検索し、受信可能なデジタル放送局があればそのデジタル放送局が放送する番組情報の中からそのデジタル放送局が現在放送中の番組の番組識別番号を取得し、受信レベルの低下前に視聴していたデジタル放送局の番組の番組識別番号と同じであれば、そのデジタル放送局を選局する。
【００２２】
以上のように本発明の実施の形態によれば、デジタル放送受信機が受信レベルの低下により現在視聴中のデジタル放送局をこれ以上視聴できなくなった時に、視聴していた番組と同じ番組識別番号の番組を放送している別のデジタル放送局を選局できる。
【００２３】
（実施の形態５）
図１は、本発明の実施の形態４におけるデジタル放送システムのブロック図である。図１において、１００は系列Ａのデジタル放送親局、１０１は番組素材配信部、１０１は番組情報配信部、２００は系列Ａに属するデジタル放送局▲１▼、２０１は映像・音声エンコード部、２０２は番組情報生成部、２０３は合成部、２０４は送信処理部、３００は系列Ａに属するデジタル放送局▲２▼、３０１は映像・音声エンコード部、３０２は番組情報生成部、３０３は合成部、３０４は送信処理部、４００は系列Ｂに属するデジタル放送局▲３▼、４０１は映像・音声エンコード部、４０２は番組情報生成部、４０３は合成部、４０４は送信処理部、５００はデジタル放送受信機、５０１はデジタルチューナー部、５０２は復調部、５０３はトランスポートデコード部、５０４は映像・音声デコード部、５０５は画面表示部、５０６は音声出力部、５０７は制御部、５０８はメモリ部である。
【００２４】
以上のように構成されたデジタル放送システムについて、以下にその動作を説明する。系列Ａのデジタル放送親局１００は製作した番組素材を、番組素材配信部１０１から様々な媒体を使って同じ系列Ａに属するデジタル放送局▲１▼２００、デジタル放送局▲２▼３００へと配信する。同時に系列Ａのデジタル放送親局１００は配信した番組素材を同じ時間に放送するデジタル放送局のリストを、番組情報の一部として番組情報配信部１０２から様々な媒体を使って同じ系列Ａに属するデジタル放送局▲１▼２００、デジタル放送局▲２▼３００へと配信する。デジタル放送局▲１▼２００は、配信された番組素材を映像・音声エンコーダ２０１にてデジタルデータへエンコードし、配信されたデジタル放送局のリストを元に同じ番組を同じ時間に放送している他のデジタル放送局の情報を含む番組情報と独自に作成する番組情報を番組情報生成部２０２で生成し、合成部２０３でトランスポートストリームに合成する。トランスポートストリームは送信処理部２０４で変調、アップリンクされ、放送電波として送出する。デジタル放送局▲２▼３００、デジタル放送局▲３▼も同様に放送電波を送出する。デジタル放送受信機５００は、複数のデジタル放送局の送出する放送電波の中から、デジタルチューナー部５０１でひとつの放送局を選局し、復調部５０２で復調、エラー訂正を行い、トランスポートストリームを出力する。トランスポートストリームはトランスポートデコード部５０３でパケットＩＤ別に映像、音声、番組情報など各々のデータにフィルタリングされる。映像や音声のデータは映像・音声デコーダ部５０４でデコードされ、映像は画面表示部５０５が表示し、音声は音声出力部５０６が出力する。番組情報などその他のデータは制御部５０７がトランスポートデコード部５０３から読取り、必要な番組情報はメモリ部５０８に記憶する。また、移動可能なデジタル放送受信機の場合、現在視聴中のデジタル放送局▲１▼２００から遠く離れることで受信レベルが低下し、デジタル放送受信機５００では復調部５０２、トランスポートデコード部５０３、映像・音声デコード部５０４からのエラー情報により、制御部５０７が現在視聴中のデジタル放送局▲１▼２００をこれ以上視聴できないと判断した時、制御部５０７はデジタルチューナー部５０１を制御して、あらかじめ取得しておいた同じ番組を同じ時間に放送している他のデジタル放送局の情報を用いて、そのデジタル放送局を順番にスキャンし、受信可能なデジタル放送局があれば、そのデジタル放送局を選局する。
【００２５】
以上のように本発明の実施の形態によれば、デジタル放送受信機が受信レベルの低下により現在視聴中のデジタル放送局をこれ以上視聴できなくなった時に、視聴していた番組と同じ番組を放送している別のデジタル放送局を効率よく選局できる。
【００２６】
【発明の効果】
以上のように本発明は、番組素材を配信する手段と、同じ系列のデジタル放送局が共通して放送する番組情報を配信する手段をデジタル放送親局に設け、配信された番組素材をエンコードする手段と、配信された番組情報とデジタル放送局独自の番組情報を生成する手段と、それらを合成する手段と、送信処理手段をデジタル放送局に設け、デジタルチューナーと、復調手段と、トランスポートデコード手段と、映像・音声デコード手段と、画面表示手段と、音声出力手段と、デジタル放送局が放送する番組情報を選局の際に利用する制御手段と、デジタル放送局が放送する番組情報を記憶する記憶手段をデジタル放送受信機に設けることにより、デジタル放送受信機が受信レベルの低下により現在視聴中のデジタル放送局をこれ以上視聴できなくなった時に、複数のデジタル放送局から受信した番組情報を元に、視聴していたデジタル放送局と同じ系列のデジタル放送局、または視聴していた番組と同じ番組を放送している別のデジタル放送局を選局できる効果が得られる。
【図面の簡単な説明】
【図１】本発明の実施の形態１、２、３、４、５におけるデジタル放送システムの構成を示すブロック図
【図２】従来のデジタル放送システムの構成を示すブロック図
【符号の説明】
１００　系列Ａデジタル放送親局
１０１　番組素材配信部
１０２　番組情報配信部
２００　系列Ａデジタル放送局▲１▼
２０１　映像・音声エンコード部
２０２　番組情報生成部
２０３　合成部
２０４　送信処理部
３００　系列Ａデジタル放送局▲２▼
３０１　映像・音声エンコード部
３０２　番組情報生成部
３０３　合成部
３０４　送信処理部
４００　系列Ｂデジタル放送局
４０１　映像・音声エンコード部
４０２　番組情報生成部
４０３　合成部
４０４　送信処理部
５００　デジタル放送受信機
５０１　デジタルチューナー部
５０２　復調部
５０３　トランスポートデコード部
５０４　映像・音声デコード部
５０５　画面表示部
５０６　音声出力部
５０７　制御部
５０８　メモリ部
【図１】
2004140690.tif 000003
【図２】
2004140690.tif 000004